(57)【要約】【課題】甲被に対するワイヤ（紐）掛け具の位置を変更可能に構成したスノーボードブーツにおいて、同じ締付け力でワイヤ（紐）を締付けた場合でも、前記掛け位置の変更によって、滑走時の足の前傾可能な角度（硬さ）を調整可能なスノーボードブーツを得ることを課題とする。【解決手段】上下方向に配置された複数の掛け具のうちの少なくとも一つの掛け具が、その固定位置を前後方向に移動可能な固定位置変更手段を有し、更に前記固定位置変更手段が、少なくとも掛け具の固定位置における甲被本体の撓み制御手段を有する。【選択図】図１
2013162912.tif 000002
【特許請求の範囲】
【請求項１】
前方が足の甲形状に形成され、その上部に前面開口部を有し横断面略Ｕ字形の立ち上り部が形成される甲被本体と、前記甲被本体の前面開口部をカバーする前部甲被と、足の裏の下部に配置される接地部により、外周部が構成され、
前記甲被本体と前部甲被と接地部によって囲まれたスノーボードブーツ内の空間部内に足を保持するインナーが配置され、前記インナーは、足の爪先部と甲部の少なくとも一部を包み込む前方部とその上部に前面開口部を有し横断面略Ｕ字形の立ち上り部が形成されるインナー本体と、前記インナー本体の開口部を内側から覆うように構成される前部インナーを有し、
紐もしくはワイヤの通過部を有し、前記甲被本体の立ち上がり部の左右部分の表面に夫々固定される掛け具と、前記掛け具を介して紐もしくはワイヤによって使用者の足を締付ける締付け手段を具備するソフトタイプのスノーボードブーツにおいて、
更に、前記甲被本体に対する前記掛け具の固定位置を前後方向に移動可能な固定位置変更手段と、
前記固定位置変更手段が、前記掛け具の固定位置における前記甲被本体の撓み制御手段を有することを特徴とするスノーボードブーツ
【請求項２】
前記締付け手段により、足を同じ締付け力でスノーボードブーツに固定した際に、
前記固定位置変更手段によって掛け具を後側に固定した場合の、前記前部インナーの前方への傾斜可能な角度が、
前記固定位置変更手段によって掛け具を前側に固定した場合の、前記前部インナーの前方への傾斜可能な角度よりも、
大きくなるように構成されることを特徴とする請求項１記載のスノーボードブーツ
【請求項３】
前記固定位置変更手段は、前記甲被本体の少なくとも左右いずれか一方の部分に前後方向に向かって形成された複数の孔と、前記甲被本体の裏面に配置され前記甲被本体に形成された複数の孔の中の少なくても何れか１個の孔を介して前記掛け具を固定する固定手段を有し、前記甲被本体に前後方向に向かって形成される孔の数は、前記掛け具を１箇所に固定する際に使用する前記甲被本体の孔の数よりも多いことを特徴とする請求項１または請求項２記載のスノーボードブーツ
【請求項４】
前記甲被本体に前後方向に向かって形成される孔が、上下方向にも複数形成され、前記掛け具の固定位置が、前記甲被本体に対して、前後および上下に選択可能に構成されることを特徴とする請求項３記載のスノーボードブーツ
【請求項５】
前記掛け具の固定位置における前記甲被本体の撓み制御手段が、前記甲被本体を左右方向に移動可能な前記掛け具および掛け具の固定手段の剛性によって構成されることを特徴とする請求項３または請求項４記載のスノーボードブーツ
【発明の詳細な説明】
【技術分野】
【０００１】
本発明は特に、ワイヤもしくは紐により甲被の筒部を締め付けるように構成したスノーボードブーツにおいて、前記甲被の筒部における前記ワイヤもしくは紐の掛け渡し位置を変更可能な構造を有するスノーボードブーツに関するものである。
【背景技術】
【０００２】
従来のスノーボードブーツ１は、特開２００４-１２１２８４が公知であり、前記公知文献の第1実施例〜第４実施例においては例えば図１６〜図１８（第１実施例）に示すように、足の甲から足首にかけて、ソフトタイプのシェル２２のウイング部２３の前方に複数の第一紐掛け部２４、２６が対向配置され、第一紐掛け部２４、２６に掛け渡された紐３を締付けることによって足をシェル２２内に固定するソフトタイプのスノーボード用ブーツ１において、略帯状の押圧シート３０は、その略中央に設けられて足首を押圧する押圧部３１と、押圧部３１の両端から前方に向けて延在する左右のフラップ部３２を有し、少なくとも押圧部３１は、足首を囲繞するようにシェル２２の左側のウイング部２３の側壁からシェル２２の右側のウイング部２２の側壁にかけて湾曲状態でシェル２２（甲被本体）に固着され、左右のフラップ部３２には、それぞれ、少なくとも一つの第二紐掛け部４０、４２が設けられている。
【０００３】
尚、シェル２２が本皮や合成皮やナイロン繊維等の柔軟な素材から構成されており、また剛性を与えるために、一般に、芯材がシェルに張り付けられており、押圧シート３０は、柔軟な布地等の様々な素材を使用することができるが、使用者が所望する剛性をシェルに与えるような適度の剛性を有する薄いプラスチックシート等が好ましく、押圧シート３０が適度の剛性を有することによって、紐３を第一又は第二の紐掛け部４０、４２に掛け渡して紐３を締付けた場合に、シェルに適度の剛性を与えることができる。
【０００４】
前記構成によれば、紐３を第一紐掛け部２４，２６に掛け渡して紐３を締付けた場合には、シェル２２の左右のウイング部２３が全体的に前方に引っ張られるために、足首を囲んで足首を押圧する押圧部３１すなわち足首押圧領域が大きくなる。したがって、ある大きさの力で引っ張った場合での足首に対する押圧力３１が小さくなるので、弱めのフィット感となる。
【０００５】
これに対して、押圧シート３０の左右のフラップ部３２に設けられた第二紐掛け部４０、４２に紐３を掛け渡して紐３を締付けた場合には、シェル２２に固着された押圧部３１及びその周辺の左右のウイング部２３が局所的に前方に引っ張られるために、実質的な足首押圧領域が小さくなる。その結果、ある大きさの力で引っ張った場合での足首に対する押圧力が大きくなるので、強めのフィット感が得られる。
【０００６】
したがって、前記構成によれば、ソフトタイプのスノーボード用ブーツ１において、紐３を掛け渡す位置を変えるという極めて簡単な操作によって、余分なブーツを用意したり別体の補強部材を使用したりすることなく、ブーツ特性（フィット感や剛性）を容易に且つ自在に調節することができる。
【０００７】
また、前記公知例の第５実施例、第６実施例においては、例えば図１９（第６実施例）に示す様に、ブーツ１では、第一紐掛け部２６より少し後方の位置すなわち足の脹脛側の位置には、側方上フック４２ａ、側方中フック４２ｂ及び側方下フック４２ｃ（実施例５では側方フック４２）が配置されている。側方上フック４２ａ、側方中フック４２ｂ及び側方下フック４２ｃは、シェル２２に対して挟着又は接着等の方法で固着されている。そして、第一紐掛け部２６や、側方上フック４２ａ、側方中フック４２ｂ及び側方下フック４２ｃに対しては、紐３が引掛けられる。
【０００８】
側方上フック４２ａ、側方中フック４２ｂ及び側方下フック４２ｃの固着部分より後方に位置するシェル２２のウイング部２３が、それぞれ、実質的に、足首押圧領域となる。そして、第一紐掛け部としての各フック２６又は第二紐掛け部として側方上フック４２ａ、側方中フック４２ｂ及び側方下フック４２ｃのいずれかの紐掛け部に紐３を掛け渡すことによって、ブーツ特性（フィット感や剛性）に強弱を与えることができ、ブーツ特性（フィット感や剛性）を、８通りに変化させることができる。また、いずれの場合も、シェル２２への側方フック４２や側方上フック４２ａ、側方中フック４２ｂ及び側方下フック４２ｃの固着だけでよいので、ブーツ１の製造コストを削減することができる。
【０００９】
また、他の従来のスノーボードブーツ１として、特開平０９−２５２８０２では、甲被本体の正面位置に全部甲被（甲部）を有し、スノーボードブーツの内部にインナーブーツが配置されると共に、紐によって足を固定するように構成されたスノーボードブーツが開示されている。
【先行技術文献】
【特許文献】
【００１０】
【特許文献１】特開２００４−１２１２８４
【特許文献２】特開平０９−２５２８０２
【発明の概要】
【発明が解決しようとする課題】
【００１１】
前記従来のスノーボードブーツ１の実施例１〜実施例４に開示される技術では、前記第二紐掛け部４０、４２がシェル２２と別体で構成された押圧シート３０に設けられるため、コストが上昇する欠点があった。
【００１２】
また、前記従来のスノーボードブーツ１の実施例１〜実施例４において、紐３を第一紐掛け部２４，２６に掛け渡して紐３を締付けた場合に、足首に対する押圧力が小さくなり、弱めのフィット感となり、押圧シート３０の左右のフラップ部３２に設けられた第二紐掛け部４０、４２に紐３を掛け渡して紐３を締付けた場合に、足首に対する押圧力が大きくなり、強めのフィット感が得られる様になる事が記載されており、実施例５、実施例６の構成においては、紐３を第一紐掛け部に掛け渡した場合と、紐３を第二紐掛け部に掛け渡した場合で、どの様にフィット感が変化するか記載されていないが、前記フィット感自体の定義が不明確であるため、足首に対する押圧力を出願人が検証した所、同じ締付け力で紐３を締付けた場合の足首に対する締付力には前記の様な差異が認められなかった。
【００１３】
本発明は、甲被（シェル）に対するワイヤ（紐）の掛け具の固定位置を変更可能に構成したスノーボードブーツにおいて、同じ締付け力でワイヤ（紐）を締付けた場合でも、前記掛け具の固定位置の変更によって、滑走時の足の前傾可能な角度（硬さ）を調整可能なスノーボードブーツを得ることを課題とする。
【課題を解決するための手段】
【００１４】
本発明は、前方が足の甲形状に形成され、その上部に前面開口部を有し横断面略Ｕ字形の立ち上り部が形成される甲被本体と、前記甲被本体の前面開口部をカバーする前部甲被と、足の裏の下部に配置される接地部により、外周部が構成され、前記甲被本体と前部甲被と接地部によって囲まれたスノーボードブーツ内の空間部内に足を保持するインナーが配置され、前記インナーは、足の爪先部と甲部の少なくとも一部を包み込む前方部とその上部に前面開口部を有し横断面略Ｕ字形の立ち上り部が形成されるインナー本体と、前記インナー本体の開口部を内側から覆うように構成される前部インナーを有し、紐もしくはワイヤの通過部を有し、前記甲被本体の立ち上がり部の左右部分の表面に夫々固定される掛け具と、前記掛け具を介して紐もしくはワイヤによって使用者の足を締付ける締付け手段を具備するソフトタイプのスノーボードブーツにおいて、更に、前記甲被本体に対する前記掛け具の固定位置を前後方向に移動可能な固定位置変更手段と、前記固定位置変更手段が、前記掛け具の固定位置における前記甲被本体の撓み制御手段を有することを特徴とする。
【００１５】
更に、前記締付け手段により、足を同じ締付け力でスノーボードブーツに固定した際に、前記固定位置変更手段によって掛け具を後側に固定した場合の、前記前部インナーの前方への傾斜可能な角度が、前記固定位置変更手段によって掛け具を前側に固定した場合の、前記前部インナーの前方への傾斜可能な角度よりも、大きくなるように構成されることを特徴とする。
【００１６】
更に、前記固定位置変更手段は、前記甲被本体の少なくとも左右いずれか一方の部分に前後方向に向かって形成された複数の孔と、前記甲被本体の裏面に配置され前記甲被本体に形成された複数の孔の中の少なくても何れか１個の孔を介して前記掛け具を固定する固定手段を有し、前記甲被本体に前後方向に向かって形成される孔の数は、前記掛け具を１箇所に固定する際に使用する前記甲被本体の孔の数よりも多いことを特徴とする。
【００１７】
更に、前記甲被本体に前後方向に向かって形成される孔が、上下方向にも複数形成され、前記掛け具の固定位置が、前記甲被本体に対して、前後および上下に選択可能に構成されることを特徴とする。
【００１８】
更に、前記掛け具の固定位置における前記甲被本体の撓み制御手段が、前記甲被本体を左右方向に移動可能な前記掛け具および掛け具の固定手段の剛性によって構成されることを特徴とする。
【発明の効果】
【００１９】
本発明のスノーボードブーツは、甲被本体に対してワイヤの掛け具の固定位置を少なくとも前後方向に移動可能な固定位置変更手段が、前記甲被本体の撓み制御手段を有する事により、同じ締付け力でワイヤを締付けた場合でも、前記掛け具の位置の変更によって、確実に滑走時の足の前傾可能な角度（硬さ）が調整可能になる効果を有し、更に複雑な構造を用いないためコストの上昇が殆ど無い。
【００２０】
更に、本発明のスノーボードブーツは甲被本体に対する掛け具の固定位置を目視で確認できる構造であるため、使用者が現在のスノーボードブーツの設定状態で容易に確認できる効果を有する。
【図面の簡単な説明】
【００２１】
【図１】本発明の第１実施例の掛け具を前側に設定した状態の右側面図である
【図２】本発明の第１実施例の掛け具を前側に設定した状態の正面図である
【図３】本発明の第１実施例の掛け具を前側に設定した状態の平面図である
【図４】本発明の第１実施例の図２のＡＡ線断面図である
【図５】本発明の第１実施例の掛け具を前側に設定した状態の左側面図である
【図６】本発明の第１実施例の掛け具を後側に設定した状態の右側面図である
【図７】本発明の第１実施例の図６のＢＢ線断面拡大図である
【図８】本発明の第１実施例の図７の部品分解図である
【図９】本発明の第１実施例の図６のＣＣ線断面拡大図である
【図１０】本発明の第１実施例の図９の状態からで掛け具からワイヤつまみ具を外した状態の参考図である
【図１１】本発明の第１実施例の図１のＤＤ線断面拡大図である
【図１２】本発明の第１実施例の図６のＥＥ線断面における足の締付け状態の説明図である
【図１３】本発明の第１実施例の図１２の状態から足を前傾させた状態の説明図である
【図１４】本発明の第１実施例の図１のＦＦ線断面における足の締付け状態の説明図である
【図１５】本発明の第１実施例の図１４の状態から足を前傾させた状態の説明図である
【図１６】従来のスノーボードブーツの側面図である
【図１７】図１６の従来のスノーボードブーツの要部を外側から見た図である
【図１８】図１６の従来のスノーボードブーツの要部を内側から見た図である
【図１９】従来のスノーボードブーツの他の実施形態の要部を外側から見た図である
【発明を実施するための形態】
【００２２】
以下、本発明の実施の形態について、図面を踏まえて具体的に説明する。尚、本発明の説明において、前方とは使用者がスノーボードブーツ１を履いた際の爪先方向であり、前面とは足２の甲および脛を保持する部分の表側面であり、左右部分はスノーボードブーツを前方向から見た場合の左右夫々の側面部分、左右方向はスノーボードブーツを前方向から見た場合の左右方向を意味する。また、上下方向はスノーボードブーツの靴底を接地させた状態の上下方向を意味し、横方向はスノーボードブーツの靴底を接地させた状態の水平方向を意味する。
【実施例１】
【００２３】
図１〜図１５は本発明の好ましい実施の形態の一例を示すものであり、前方が足２の爪先および甲の上面形状に沿って形成され、その上部に前面開口部５３を有し横断面略Ｕ字形の立ち上り部が形成される甲被本体５１と、前記甲被本体５１の前面開口部をその内側から塞ぐように形成される前部甲被５２と、足２の裏の下方に配置される靴底部５３により外周部が構成され、前記甲被本体５１の下端部は前記靴底部５３の周囲部と一体に接着され、前記前部甲被５２の下端部は前記甲被本体５１の前面開口部よりも爪先側（前方）の位置で前記甲被本体５１の内面に縫製により固定される。
【００２４】
また、前記甲被本体５１と前部甲被５２と靴底部５３によって囲まれたスノーボードブーツ１の内側の前記空間部には、前記甲被本体５１および前部甲被５２よりも柔軟な素材で形成された（表面はナイロン繊維等の表皮により柔軟に構成され、内部に発泡ウレタン等のクッション性を有する素材が配置され、更に内面の上方部には起毛素材を配置することより、クッション製と吸湿性が確保される）足２を保持するインナーブ−ツ１０が配置され、前記インナーブーツ１０は足２の爪先部および甲部の少なく友一部を包み込む前方部とその上部に、前面開口部を有し横断面略Ｕ字形の立ち上り部が形成されるインナー本体１１と、前記インナー本体１１の開口部を内側から覆う様に構成された前部インナー１２とより構成され、前記前部インナー１２の下端部が前記インナー本体１１の開口部よりも爪先側（前方）の部分に縫製により固定される。
【００２５】
前記甲被本体５１の左右部分には夫々固定位置変更手段によって、その固定位置を変更可能に構成された３個の掛け部７が配置され、前記掛け具７を介してワイヤ８（本実施例においては金属ワイヤ）によって使用者の足２を締付ける締付け手段を具備する。
【００２６】
前記掛け具７の固定位置変更手段は、図７〜１１に示すように、甲被本体５１の左右部分に夫々前後方向に等間隔で列状に孔５４が３個形成され、前記掛け具７は、表面にワイヤ通過部７１が形成され、裏面には前記複数の孔５４と等間隔のピッチＰで形成された、前記孔５４に挿入可能な外径からなる２つのボス７２が形成され、前記掛け具７のボス７２を前記甲被本体５１の表面から前記３個の孔の中の隣接する２個の孔５４に挿入した状態で、前記甲被本体５１の裏面から補強板７３を介してネジ７４によって固定される。尚、前記補強板７３の材質は金属など剛性が高い材質が望ましいが、剛性が高い材質を使用し撓みにくい断面形状であれば樹脂など金属以外の材料で形成しても良い。
【００２７】
前記掛け具７と補強板７３によって、前記甲被本体５１の掛け具固定位置における曲げ剛性が高まるため、掛け具固定位置における撓みが制限される。尚、前記掛け具７に剛性の高い素材（金属やナイロン、ポリアセタール、ポリカーボネイト、ガラス入りの樹脂など）を使用した場合や、撓みにくい断面形状で形成した場合には、必ずしも補強板７３を使用しなくても良い。
【００２８】
更に甲被本体５１の左右部分に夫々前後方向に列状に形成された３個の孔は、上下方向にも５列形成されることにより、前記掛け具７は前記甲被本体５１に対する固定位置を、上下および左右に選択可能に構成される。尚、前記甲被本体５１の孔５４の形成位置の内側面には、雪等の進入を防止する防雪シート５５が配置される。
【００２９】
本実施例において前記掛け具７を介してワイヤ８によって使用者の足２を締付ける締付け手段は、前記前部甲被５２の左右中央上部に配置され、前記ワイヤ８を巻き取り可能に構成されるワイヤ巻き取り装置８１より構成される。前記ワイヤ巻き取り装置８１は例えば一方向にのみ回転可能なラッチ機構を有する巻取りドラムと、前記ラッチ機構の解除手段より構成され、このようなワイヤ巻き取り装置は既存の機構を利用する事ができる。
【００３０】
尚、前記掛け具７のワイヤ通過部７１は、内部をワイヤ８が挿通可能な管状に形成しても良く、側方から着脱可能なフック状の溝を形成しても良い。尚、本実施例においては、左右の甲被本体５１に夫々固定される上下３個の掛け具のうち、一番上の掛け具７は、ワイヤ通過部７１に側方から着脱可能なフック状の溝を形成した掛け具７ａを使用すると共に、ワイヤつまみ具８２をワイヤ８に挿通配置することによって、一番上の掛け具からワイヤを容易に外すことができるため、ワイヤ８による足２の締め付け手段を解除した際の、前記前部甲被５２の前方への移動操作が容易になり、スノーボードブーツ１に対して足２を着脱する際の作業性が向上する。更に他の２個の掛け具７はワイヤ通過部７１が管状に形成された掛け具７ｂを用いることによって、不用意にワイヤ８が掛け具から外れることを防止することができる。
【００３１】
本発明において、前記甲被本体５１と前部甲被５２は夫々、表面が本皮や合成皮やナイロン繊維等の表皮により柔軟な素材から構成され、剛性と可撓性を与えるために、前記表面の素材に対して芯材が張り付けられ、前記前部甲被５２の外側面の左右部分が前記甲被本体５１の開口部の周囲の内側面と当接するように構成され、使用時に前記ワイヤ８によって足２をスノーボードブーツに固定した際に前記甲被本体５１は、前部甲被５２の外側面の左右部分で左右方向に押し圧されると同時に、足２によってもインナーブーツ１０を介して左右中心方向への撓み量が制御されるため、前記甲被本体５１の左右部分は４つの位置で支持されるように構成される。
【００３２】
そして、使用時に、前記掛け具７の固定位置を後側に設定し、前記ワイヤ８によって締付け力（張力Ｔ１）で足２をスノーボードブーツ１に固定した場合には、未滑走時においては図１２に示す様に、甲被本体５１および前部甲被５２がインナー本体１１および前部インナー１２を介しておよび足２の周囲をほぼ均一な圧力で保持し、足２の太さに応じて左右のワイヤ８の撓み制御手段間の直線距離Ｌａ１、左右のワイヤの撓み制御手段間のワイヤの長さＳａ１が決定される、そして滑走時に足２を前傾させた場合に図１３に示す様に、足２の脛部分が前部インナー１２を前部甲被５２に向かって前方に押し圧することにより、前部インナー１２が押し潰され、脛と前部甲被５２の距離が近づく方向に足２が移動する。その際、足２の左右方向の幅に合せて甲被本体５１の前方部分の左右間の距離が広がるが、左右のワイヤ８の撓み制御手段間のワイヤの長さＳａ２は変化しないため、前記左右のワイヤ８の撓み制御手段間の曲率が小さくなる（直線に近づく）ことにより、左右のワイヤ８の撓み制御手段間の直線距離Ｌａ２が拡大する。尚、前記足２の前傾によってワイヤ８には張力Ｔ２が発生して甲被本体５１を前方に向かって引っ張ることにより、甲被本体５１が全体の変形を伴いながら甲被本体５１の後端が、足２の前方移動によって形成された、ふくろはぎ部分の内部空間を埋める方向に移動する。この際、Ｔ１＜Ｔ２、Ｓａ１＝Ｓａ２、Ｌａ１＜Ｌａ２の関係が成り立つ。
【００３３】
また、使用時に、前記掛け具７の固定位置を前側に設定し、前記ワイヤ８によって締付け力（張力Ｔ１）で足２をスノーボードブーツ１に固定した場合には、未滑走時においては図１４に示す様に、甲被本体５１および前部甲被５２がインナー本体１１および前部インナー１２を介しておよび足２の周囲をほぼ均一な圧力で保持し、足２の太さに応じて左右のワイヤ８の撓み制御手段間の直線距離Ｌｂ１、左右のワイヤの撓み制御手段間のワイヤの長さＳｂ１が決定される、そして滑走時に足２を前傾させた場合に図１５に示すように、足２の脛部分が前部インナー１２を前部甲被５２に向かって前方に押し圧することにより、前部インナー１２が押し潰され、脛と前部甲被５２の距離が近づく方向に足２が移動する。その際、足２の左右方向の幅に合せて甲被本体５１の前方部分の左右間の距離が広がるが、左右のワイヤ８の撓み制御手段間のワイヤ８の長さＳｂ２は変化しないため、前記左右のワイヤ８の撓み制御手段間の曲率が小さくなる（直線に近づく）ことにより、左右のワイヤ８の撓み制御手段間の直線距離Ｌｂ２が拡大する。尚、前記足２の前傾によってワイヤには張力Ｔ２が発生し甲被本体を前方に向かって引っ張ることにより、甲被本体５１が全体の変形を伴いながら甲被本体５１の後端が、足２の前方移動によって形成された、ふくろはぎ部分の内部空間を埋める方向に移動する。この際、Ｔ１＜Ｔ２、Ｓｂ１＝Ｓｂ２、Ｌｂ１＜Ｌｂ２の関係が成り立つ。
【００３４】
そして、前記掛け具７の固定位置を後側に設定した場合と前記掛け具７の固定位置を前側に設定した場合とを比較すると、前記掛け具７の固定位置を後側に設定した場合の左右のワイヤ８の撓み制御手段間のワイヤの長さＳａ１の方が、前記掛け具７の固定位置を前側に設定した場合の左右のワイヤの撓み制御手段間のワイヤの長さＳｂ１よりも、前記甲被本体５１に形成された孔５４のピッチＰの２倍分長くなるために左右のワイヤの撓み制御手段間の変形可能な領域が長くなり、滑走時に足２を前傾させた場合の甲被本体５１の前方部分における左右間の距離の拡大が容易となる。この際、Ｌａ１＞Ｌｂ１、Ｓａ１＞Ｓｂ１、Ｌａ２＞Ｌｂ２、Ｓａ１＝Ｓｂ１+２Ｐの関係が成り立つ。
【００３５】
上記構成により、未滑走時のワイヤ張力Ｔ１、滑走時に足２を前傾させた場合のワイヤ張力Ｔ２が同じ条件で、足２を前傾させた場合に、前記掛け具７の固定位置を後側に選択した場合の前記前部インナー１２の前方への傾斜可能な角度は、前記掛け具７の固定位置を前側に選択した場合の前記前部インナー１２の前方への傾斜可能な角度よりも大きくなる。
【００３６】
そして、前記掛け具７の固定位置を後側に選択して足２を前傾させた場合の前方への傾斜可能な角度（移動量）を大きくした場合には、足２の自由度が増し、一般的にいう「柔らかいブーツ」のような効果を有するため、パウダーなど柔らかい雪面を滑る時や重心の移動が容易になるためにトリックをするような滑走方法に適する。
【００３７】
また、前記掛け具７の固定位置を前側に選択して足２を前傾させた場合の方への傾斜可能な角度（移動量）を小さくした場合には、足２はより固定され、一般的にいう「硬いブーツ」のような効果を有するため、アイスバーンなど硬い雪面を滑る時やハイスピードで滑走する場合に適する。
【００３８】
尚、本発明において、例えば左足２の左側の前記掛け具７の固定位置を前側に選択して、右側の前記掛け具７の固定位置を後側に選択し、右足２の左側の前記掛け具７の固定位置を後側に選択して、右側の前記掛け具７の固定位置を前側に選択した場合には、外側には硬く、内側には柔らかいというような効果を有するため、ある程度ハイスピードで滑走しつつトリックも行なうような滑走方法に適する。
【００３９】
尚、本発明において、前記掛け具７の固定位置を  全体的に下側に移動させた場合には、ブーツの上部で足２の動きが固定されない為、自由度がより増大する効果を有するため、スノーボードブーツを日常的に使用することもできる。
【００４０】
また、上記、以外にも、掛け具７の固定位置を好みに合せて自由に変更することができる。尚、本発明の掛け具７の固定位置変更手段は、本実施例の構成に限定されず、甲被本体５１に形成する孔５４の数や形状、更に甲被本体５１に対する掛け具７の固定構造は既存の部品固定構造を参照して自由に変更することができ、例えば、前記掛け具７を甲被本体５１に固定する際に、前記掛け具７の１箇所の固定に使用する甲被本体５１に形成された孔５４の数を３個以上にしても良く、また、掛け具７の回り止め手段（角孔等）を用いることにより、前記掛け具７の１箇所の固定に使用する甲被紺体５１に形成された孔５４を１個にすることも出来る、更に甲被本体５１に形成する孔５４の数や位置は、甲被本体５１の左右で非対称に形成しても良い。
【００４１】
また、本実施例ではワイヤ８に金属ワイヤを使用し、ワイヤ張力Ｔ１、Ｔ２に対するワイヤの伸びが、実質的に無視できる（他のスノーボードブーツ構成部材の伸びや変形と比較して非常に小さい）場合の構成と原理を説明したが、本発明におけるワイヤ８は金属には限定されず、伸び率の金属ワイヤよりも高い非金属ワイヤ（アラミド繊維製ワイヤなど）を使用しても良く、その場合には前記掛け具７の固定位置を後側に設定した場合と前記掛け具７の固定位置を前側に設定した場合の何れの場合においても、金属ワイヤを使用した場合よりも、足２を前傾させた場合の方への傾斜可能な角度（移動量）が大きくなる。（ブーツの特性を柔らかくなる）
【００４２】
尚、使用者の足２を締付ける締付け手段は、ワイヤ８とワイヤ８に接続されるワイヤ巻き取り装置８１を用いず、紐３を縛る構成にしても良い。
【００４３】
更に、本発明の他の実施形態として、前記掛け具の固定位置変更手段として、甲被本体の左右位置に夫々柔軟な材料で形成された横方向へのスライドレールを有し、掛け具および、または、前記スライドレールに対する掛け具の固定部材を剛性の高い材料で形成すると共に、前記スライドレールに対する前記掛け具の固定可能を任意に選択可能なロック機構を有する構成としても良い。
【産業上の利用可能性】
【００４４】
本発明は、滑走時の足２の前傾可能な角度（硬さ）を調整可能なスノーボードブーツとして、産業上有効に利用することができる。
【符号の説明】
【００４５】
１：スノーボードブーツ、２：足、３：紐、７、７ａ、７ｂ：掛け具、８：ワイヤ、１０：インナーブーツ、１１：インナー本体、１２：前部インナー、２０:アウターブーツ、２２：シェル、２３：ウイング部、２４、２６：第一紐掛け部、３０：押圧シート、３１：押圧部、３２：フラップ部、４０、４２：第二の紐掛け部、４２ａ：側方上フック、４２ｂ：側方中フック、４２ｃ：側方下フック、５１：甲被本体、５２：前部甲被、５３：靴底部、５４：孔、５５：防雪シート、７１：ワイヤ通過部、７２：ボス、７３：補強板、７４：ネジ、８１：ワイヤ巻取り装置、８２：ワイヤつまみ具
【図１】
2013162912.tif 000003
【図２】
2013162912.tif 000004
【図３】
2013162912.tif 000005
【図４】
2013162912.tif 000006
【図５】
2013162912.tif 000007
【図６】
2013162912.tif 000008
【図７】
2013162912.tif 000009
【図８】
2013162912.tif 000010
【図９】
2013162912.tif 000011
【図１０】
2013162912.tif 000012
【図１１】
2013162912.tif 000013
【図１２】
2013162912.tif 000014
【図１３】
2013162912.tif 000015
【図１４】
2013162912.tif 000016
【図１５】
2013162912.tif 000017
【図１６】
2013162912.tif 000018
【図１７】
2013162912.tif 000019
【図１８】
2013162912.tif 000020
【図１９】
2013162912.tif 000021